(57)【要約】【課題】  撮像面中心から調整部材の設置位置までの距離を長くとり、高精度なアオリ調整が可能な撮像素子取り付け機構を提供することを目的としている。【解決手段】  前記調整部材を調整することにより前記撮像素子を光軸方向にアオリ調整可能な撮像素子取り付け機構であって、当該調整部材の取り付け位置を、前記レンズ鏡筒を構成する筒部材より外側に設けた。【選択図】  図１
2005070386.tif 000002
【特許請求の範囲】
【請求項１】
光学像を結像させるためのレンズ群と該レンズ群を内部に配設したレンズ鏡筒と該レンズ群からの光学像情報を電気信号に変換する撮像素子とを有し、
前記撮像素子を固定する固定部材と、
前記固定部材を前記レンズ鏡筒に固定する調整部材と、
前記レンズ鏡筒に配設され、前記固定部材を光軸方向に付勢する付勢部材とを備え、
前記調整部材を調整することにより前記撮像素子を光軸方向にアオリ調整可能な撮像素子取り付け機構であって、当該調整部材の取り付け位置を、前記レンズ鏡筒を構成する筒部材より外側に設けたことを特徴とする撮像装置。
【請求項２】
前記レンズ鏡筒は、前記レンズ群を保持するレンズ保持筒と、前記レンズ保持筒に対して光軸方向の駆動力を与える駆動筒と、前記レンズ保持筒および前記駆動筒を保持する固定筒のうち少なくとも一つ以上の筒部材より構成されることを特徴とする、請求項１に記載の撮像装置。
【発明の詳細な説明】
【技術分野】
【０００１】
本発明は、デジタルスチルカメラ、ビデオカメラ等の撮像装置に関する。
【背景技術】
【０００２】
従来、ＣＣＤなどの撮像素子を用いたデジタルスチルカメラなどの撮像装置においては、撮像素子の撮像面におけるレンズの焦点深度が浅いために、撮像素子取り付け部にアオリ調整機構を設けてレンズの光軸に対する撮像素子の傾きを調整できるようになっている。
【０００３】
図６、図７を用いて従来の撮像素子取り付け機構について説明する。図６は撮像装置の主要断面図であり、撮像レンズ１０１、撮像素子１０２、前記撮像素子が略中央に一体に接着固定されたＣＣＤプレート１０３を有している。光学ローパスフィルター１０４は前記撮像素子１０２の前面に配置されるように、レンズ鏡筒１０９の後端に設けられた凹部に挿入されて接着固定される。更にＣＣＤゴム１０５を前記撮像素子１０２と前記光学ローパスフィルター１０４との間に設置して、前記撮像素子１０２の撮像面近傍の防塵を行うとともに、前記ＣＣＤゴム１０５は前記ＣＣＤプレート１０３を前記レンズ鏡筒１０９に取り付ける際に、弾性変形してその反発力により前記撮像素子１０２、つまりは一体固定された前記ＣＣＤプレート１０３を前記レンズ鏡筒１０９から離間する方向（図６上では上方向）に付勢する。圧縮バネ１０６は前記レンズ鏡筒１０９に設けられた２つの穴に配置され、前記ＣＣＤゴム１０５と同様に、前記ＣＣＤプレート１０３を前記レンズ鏡筒１０９から離間する方向に付勢する。前記ＣＣＤプレート１０３が上記の各部品上に配置されると、図７に示すように３個の調整ネジ１０７を前記ＣＣＤプレート１０３に設けた貫通孔を貫通させた後に前記レンズ鏡筒１０９後端面に設けたネジ穴１０８にそれぞれネジ嵌合させることによって、前記ＣＣＤプレート１０３を前記レンズ鏡筒１０９に対して配設固定する。また、前記ＣＣＤプレート１０３は上述したように前記ＣＣＤゴム１０５および前記圧縮バネ１０６により前記レンズ鏡筒１０９から離間する方向に付勢されているため、その結果３本の前記調整ネジ１０７の頭部１０７ａに当接する。前記撮像素子１０２の撮像面のアオリ調整は、３本の前記調整ネジ１０７のねじ込み量をそれぞれ変更することにより、前記撮像レンズ１０１のレンズ光軸に対する前記ＣＣＤプレートの傾き角の大きさを変更調整することで可能である。
【特許文献１】特開平９−２１１５３６号公報
【発明の開示】
【発明が解決しようとする課題】
【０００４】
しかしながら上記従来例においては、図７に示すように、前記調整ネジ１０７が前記レンズ鏡筒１０９の外形よりも内側に配置されている。前記レンズ鏡筒１０９の内部には、図６に示す前記撮影レンズ１０１、前記光学ローパスフィルター１０４以外にもフォーカス機構やレンズ鏡筒前面を覆うレンズバリアの駆動部材等の構成部材が設けられているため、もともと前記ネジ穴１０８の設置自由度は限られている。また、近年レンズ鏡筒の小型化が進んでいるが、レンズ鏡筒が小型化されると、撮像面中心から各調整ネジの設置位置までの距離が必然的に短くなるのに加え、レンズ鏡筒内部のその他の構成部材の占める割合が増えるため、ますますネジ穴の設置位置が限られてしまい、撮像面中心から各調整ネジまでの距離を可能な限り長く取ることが難しくなっていた。このような現状に対し、近年では撮像素子であるＣＣＤの高画素化、狭画素ピッチ化が進んでおり、そのためアオリ調整のさらなる高精度化が要求され始めているが、上述のように撮像面中心から各調整ネジまでの距離を長く取ることができないため、微妙な調整ができないという問題があった。
【０００５】
そこで本発明では、撮像レンズと撮像素子とから構成された撮像装置で、撮像素子を固定する固定部材をレンズ鏡筒に固定する調整部材を備え、この調整部材を調整することにより撮像素子のアオリ調整を行う撮像素子取り付け機構において、調整部材の取り付け位置をレンズ鏡筒を構成する筒部材より外側に設けることにより、撮像面中心から調整部材の設置位置までの距離を長くとり、高精度なアオリ調整が可能な撮像素子取り付け機構を提供することを目的としている。
【課題を解決するための手段】
【０００６】
本出願に係る発明の目的を実現する構成は、請求項１に記載のように、光学像を結像させるためのレンズ群と該レンズ群を内部に配設したレンズ鏡筒と該レンズ群からの光学像情報を電気信号に変換する撮像素子とから構成された撮像装置において、前記撮像素子を固定する固定部材と、前記固定部材を前記レンズ鏡筒に固定する調整部材と、前記レンズ鏡筒に配設され、前記固定部材を光軸方向に付勢する付勢部材とを備え、前記調整部材を調整することにより前記撮像素子を光軸方向にアオリ調整可能な撮像素子取り付け機構であって、前記調整部材の取り付け位置を前記レンズ鏡筒を構成する筒部材より外側に設けたことを特徴とする撮像素子取り付け機構にある。
【０００７】
この構成によれば、撮像面中心からアオリ調整を行う調整ネジまでの距離を長く取ることが可能であり、微妙なアオリ調整を容易にして、高精度な調整を行うことが可能である。
【０００８】
本出願に係る発明の目的を実現する具体的な構成は、請求項２に記載のように、前記レンズ鏡筒は、前記レンズ群を保持するレンズ保持筒と、前記レンズ保持筒に対して光軸方向の駆動力を与える駆動筒と、前記レンズ保持筒および前記駆動筒を保持する固定筒のうち少なくとも一つ以上の筒部材より構成されることを特徴とする、請求項１に記載の撮像素子取り付け機構にある。
【発明の効果】
【０００９】
以上説明したように、本発明によれば、撮像面中心からアオリ調整を行う調整ネジまでの距離を長く取ることが可能であり、微妙なアオリ調整を容易にして、高精度な調整を行うことができる従来にない画期的な効果がある。
【発明を実施するための最良の形態】
【００１０】
以下に発明を実施するための最良の形態について説明する。
【実施例１】
【００１１】
図１は本実施例における撮像装置の正面図である（後述の撮像レンズ、レンズ保持筒およびシャッター・絞り駆動ユニットは不図示）。図２は本実施例における撮像装置の主要断面図Ａ−Ａである。図３は本実施例における撮像装置の主要断面図Ｂ−Ｂである。図４は本実施例における撮像装置の背面図である。図５は撮像面中心から調整ネジ取り付け位置までの距離比較図である。
【００１２】
図１から図４において、本実施例における撮像装置は光学像を撮像素子へと導くための撮像レンズ１、撮像素子２、前記撮像素子が略中央に一体に接着固定されたＣＣＤプレート３、レンズ鏡筒９、ベース部材１０とから構成されている。前記レンズ鏡筒９は固定筒１１、カム筒１２、レンズ保持筒１３の３つの筒部材から構成される。前記固定筒１１は前記ベース部材１０に固定されている。前記カム筒１２は前記固定筒１１の内周に嵌合し、その外周に設けられた不図示のギア部に連結された不図示の鏡筒モーター等からなる鏡筒駆動装置およびギア列によって光軸周りに回転駆動される。前記カム筒１２は、前記固定筒１１の光軸方向先端に設けられたフランジ部１１ａと前記ベース部材１０との間に挟み込まれており、光軸方向に移動することなく、光軸周りの回転のみが許容される。前記レンズ保持筒１３は、前記カム筒１２の内周に形成されているカム溝部１２ａに係合する３箇所のカムピン１３ａと、前記ベース部材１０に固定された直進キー１４に係合する直進キー溝部１３ｂとを有する。前記レンズ保持筒１３は前記直進キー１４によって直進のみ許容されることから、前記カム筒１２の回転に伴って、回転することなく前記カム溝部１２ａに沿って駆動され、前記カム筒１２に対して光軸方向に進退する。前記ベース部材１０には、前記固定筒１１、前記直進キー１４が固定されるほか、前記レンズ保持筒１３の前面に配置される不図示のレンズバリアを駆動するための駆動部材１０ａが設けられている。シャッター・絞り駆動ユニット１５は前記レンズ保持筒１３に固定されており、前記レンズ保持筒１３に設けられた不図示のシャッターおよび絞りを駆動する。光学ローパスフィルター４は前記撮像素子２の前面に配置されるように、前記ベース部材に設けられた凹部に挿入されて接着固定される。更にＣＣＤゴム５を前記撮像素子２と前記光学ローパスフィルター４との間に設置して、前記撮像素子２の撮像面近傍の防塵を行うとともに、前記ＣＣＤゴム５は前記撮像素子２が固定された前記ＣＣＤプレート３を前記ベース部材１０に取り付ける際に、弾性変形してその反発力により前記撮像素子２、つまりは一体固定された前記ＣＣＤプレート３を前記ベース部材１０から離間する方向（図３上では上方向）に付勢する。圧縮バネ６は前記ベース部材１０に設けられた２つの穴に配置され、前記ＣＣＤゴム５と同様に、前記ＣＣＤプレート３を前記ベース部材１０から離間する方向に付勢する。前記ＣＣＤプレート３が上記の各部品上に配置されると、図４に示すように３個の調整ネジ７を前記ＣＣＤプレート３に設けた貫通孔を貫通させた後に前記ベース部材１０後端面に設けたネジ穴８にそれぞれネジ嵌合させることによって、前記撮像素子２を一体に固定した前記ＣＣＤプレート３を前記ベース部材１０に対して配設固定する。また、前記ＣＣＤプレート３は上述したように前記ＣＣＤゴム５および前記圧縮バネ６により前記ベース部材１０から離間する方向に付勢されているため、その結果３本の前記調整ネジ７の頭部７ａに当接する。本実施例においては、図１に示すように、前記レンズ鏡筒９内部には前記直進キー１４、前記駆動部材１０ａ、前記圧縮バネ６を配設するための壁等が設けられているため、前記調整ネジ７用の前記ネジ穴８を前記レンズ鏡筒９内部に設けるためのスペースが非常に限られており、また、撮像面中心から各調整ネジ７の設置位置までの距離が短くなってしまう。そのため、図４に示すように前記調整ネジ７は前記レンズ鏡筒９を構成している筒部材の中で最大外径を有する固定筒１１よりもさらに外側となる位置に配置されている。このように本発明における撮像素子取り付け機構の構成にすることによって、前記レンズ鏡筒９が小型化しても前記レンズ鏡筒９内部の構成部材に関係なく自由に前記調整ネジ７のネジ穴８の配置が行えるとともに、従来例の撮像装置に比べて撮像面中心から各調整ネジ７の設置位置までの距離を長くとることが可能である。
【００１３】
前記ＣＣＤプレート３に対して一体固定された前記撮像素子２の撮像レンズ光軸に対するアオリ調整の方向および傾き角の大きさは、３本の前記調整ネジ７のいずれか、あるいはそれぞれを所定方向に回転させて各頭部７ａの前記レンズ鏡筒９からの距離を変更することにより、あるいは３本の前記調整ネジ７の前記レンズ鏡筒９に対するねじ込み量を変更することにより決定される。本実施例においては、レンズ鏡筒の筒部材の外側に調整ネジ用のネジ穴を設けているため、撮像面中心から各調整ネジの設置位置までの距離が長い。そのため、本実施例における撮像面中心から調整ネジまでの距離をＬ１、従来例における撮像面中心から調整ネジまでの距離をＬ２とすると、図５に示すように撮像素子の傾き角θの調整範囲が同じである場合には、調整ネジのストローク幅はそれぞれｈ１、ｈ２となり、本実施例のほうが調整ネジのストローク量を多く取ることが可能であり、より微妙な調整を容易にして、高精度の調整が可能である。
【図面の簡単な説明】
【００１４】
【図１】本実施例における撮像装置の正面図
【図２】本実施例における撮像装置の主要断面図Ａ−Ａ
【図３】本実施例における撮像装置の主要断面図Ｂ−Ｂ
【図４】本実施例における撮像装置の背面図
【図５】撮像面中心から調整ネジ取り付け位置までの距離比較図
【図６】従来例における撮像装置の主要断面図
【図７】従来例における撮像装置の背面図
【符号の説明】
【００１５】
１  撮像レンズ
２  撮像素子
３  ＣＣＤプレート
４  光学ローパスフィルター
５  ＣＣＤゴム
６  圧縮バネ
７  調整ネジ
８  ネジ穴
９  レンズ鏡筒
１０  ベース部材
１１  固定筒
１２  カム筒
１３  レンズ保持筒
１４  直進キー
１５  シャッター・絞り駆動ユニット
【図１】
2005070386.tif 000003
【図２】
2005070386.tif 000004
【図３】
2005070386.tif 000005
【図４】
2005070386.tif 000006
【図５】
2005070386.tif 000007
【図６】
2005070386.tif 000008
【図７】
2005070386.tif 000009